(57)【特許請求の範囲】
【請求項１】
トランスポンダとの間で所定の通信周波数の電磁波を用いて質問信号及び応答信号の授受を行うトランスポンダリーダーにおいて、
少なくとも１回の質問信号の送信と応答信号の受信に要する時間をアクセス単位時間として、該アクセス単位時間毎に前記通信周波数を所定の走査周波数範囲内で順次異なる周波数に変化させて走査する周波数可変手段と、
前記アクセス単位時間毎に質問信号を送信する質問信号送信手段と、
前記応答信号を受信する応答信号受信手段と、
異なる２つ以上の通信プロトコルを記憶する通信プロトコル記憶手段と、
前記走査周波数範囲内における少なくとも１回の走査毎に前記通信プロトコル記憶手段に記憶されている異なる通信プロトコルを用いて質問信号の送信と応答信号の受信を行うように前記質問信号送信手段と応答信号受信手段とを制御する手段とを備えた
ことを特徴とするトランスポンダリーダー。
【請求項２】
トランスポンダとの間で所定の通信周波数の電磁波及び所定の通信プロトコルを用いて質問信号及び応答信号の授受を行うトランスポンダリーダーにおいて、
異なる２つ以上の通信プロトコルを記憶する通信プロトコル記憶手段と、
少なくとも１回の質問信号の送信と応答信号の受信に要する時間をアクセス単位時間とし、該アクセス単位時間毎に前記通信プロトコル記憶手段に記憶されている異なる通信プロトコルを用いて質問信号を送信する質問信号送信手段と、
前記アクセス単位時間の少なくとも前記通信プロトコル数倍の時間を走査単位時間とし、該走査単位時間毎に前記通信周波数を所定の走査周波数範囲内で順次異なる周波数に変化させる周波数可変手段と、
前記質問信号送信手段が用いる通信プロトコルで応答信号を受信する応答信号受信手段とを備えた
ことを特徴とするトランスポンダリーダー。
【請求項３】
前記質問信号に対する応答信号を受信したときの前記通信周波数を検出する周波数検出手段と、
該周波数検出手段によって検出された通信周波数を表示する表示手段とを備えた
ことを特徴とする請求項１又は請求項２に記載のトランスポンダリーダー。
【請求項４】
前記質問信号に対する応答信号を受信したときに用いた通信プロトコルの種類を検出するプロトコル検出手段と、
該検出された通信プロトコルの種類を所定の識別子を用いて表示する表示手段とを備えた
ことを特徴とする請求項１又は請求項２に記載のトランスポンダリーダー。
【発明の詳細な説明】
【０００１】
【発明の属する技術分野】
本発明は、トランスポンダとの間で相互に送受信を行うトランスポンダリーダーに関するものである。
【０００２】
【従来の技術】
従来、トランスポンダを用いたシステムが普及している。この様なシステムでは、トランスポンダリーダーからトランスポンダに対して所定の通信周波数を用いて質問信号を送信すると、この質問信号を受信したトランスポンダが応答信号を送信する。この応答信号をトランスポンダリーダーによって受信することにより、トランスポンダリーダーから所定距離以内におけるトランスポンダの存在の有無を知ることができると共に、予めトランスポンダに固有の情報等を応答信号として送信するように設定しておくことにより所定の情報を読み取ることができる。
【０００３】
【発明が解決しようとする課題】
しかしながら、異なるシステムが混在する可能性もあるので、各システム毎に異なる種類のトランスポンダ、例えば通信周波数や通信プロトコル等が異なるトランスポンダを用いて、異なるシステム間の干渉を防止する必要があった。
【０００４】
このため、システム毎に異なるトランスポンダリーダーを備える必要があり、複数のシステムを扱う場合には、異なる複数のトランスポンダリーダーを操作しなければならず、非常に繁雑になっていた。
【０００５】
本発明の目的は上記の問題点に鑑み、異なる種類のトランスポンダにアクセス可能なトランスポンダリーダーを提供することにある。
【０００６】
【課題を解決するための手段】
本発明は上記の目的を達成するために請求項１では、トランスポンダとの間で所定の通信周波数の電磁波を用いて質問信号及び応答信号の授受を行うトランスポンダリーダーにおいて、少なくとも１回の質問信号の送信と応答信号の受信に要する時間をアクセス単位時間として、該アクセス単位時間毎に前記通信周波数を所定の走査周波数範囲内で順次異なる周波数に変化させて走査する周波数可変手段と、前記アクセス単位時間毎に質問信号を送信する質問信号送信手段と、前記応答信号を受信する応答信号受信手段と、異なる２つ以上の通信プロトコルを記憶する通信プロトコル記憶手段と、前記走査周波数範囲内における少なくとも１回の走査毎に前記通信プロトコル記憶手段に記憶されている異なる通信プロトコルを用いて質問信号の送信と応答信号の受信を行うように前記質問信号送信手段と応答信号受信手段とを制御する手段とを備えたトランスポンダリーダーを提案する。
【０００７】
該トランスポンダリーダーによれば、質問信号送信手段によってアクセス単位時間内に少なくとも１回の質問信号の送信が行われ、該質問信号に対してトランスポンダから応答信号が返されたときは応答信号受信手段によって受信される。さらに、周波数可変手段によって前記アクセス単位時間毎に所定の走査周波数範囲内で通信周波数が順次異なる周波数に変化させられて走査が行われる。これにより、前記走査周波数範囲内の通信周波数を用いたトランスポンダに対するアクセスが行われる。
【０００８】
また、質問信号送信手段によってアクセス単位時間内に少なくとも１回の質問信号の送信が行われ、該質問信号に対してトランスポンダから応答信号が返されたときは応答信号受信手段によって受信される。さらに、周波数可変手段によって前記アクセス単位時間毎に所定の走査周波数範囲内で通信周波数が順次異なる周波数に変化させられて走査が行われる。これにより、前記走査周波数範囲内の通信周波数を用いたトランスポンダに対するアクセスが行われる。さらにまた、前記質問信号送信手段による質問信号の送信は、前記走査周波数範囲内における少なくとも１回の走査毎に前記通信プロトコル記憶手段に記憶されている異なる通信プロトコルを用いて行われる。これにより、前記通信プロトコル記憶手段に記憶されている通信プロトコルを用いて通信を行うトランスポンダに対するアクセスが行われる。
【０００９】
また、請求項２では、トランスポンダとの間で所定の通信周波数の電磁波及び所定の通信プロトコルを用いて質問信号及び応答信号の授受を行うトランスポンダリーダーにおいて、異なる２つ以上の通信プロトコルを記憶する通信プロトコル記憶手段と、少なくとも１回の質問信号の送信と応答信号の受信に要する時間をアクセス単位時間とし、該アクセス単位時間毎に前記通信プロトコル記憶手段に記憶されている異なる通信プロトコルを用いて質問信号を送信する質問信号送信手段と、前記アクセス単位時間の少なくとも前記通信プロトコル数倍の時間を走査単位時間とし、該走査単位時間毎に前記通信周波数を所定の走査周波数範囲内で順次異なる周波数に変化させる周波数可変手段と、前記質問信号送信手段が用いる通信プロトコルで応答信号を受信する応答信号受信手段とを備えたトランスポンダリーダーを提案する。
【００１０】
該トランスポンダリーダーによれば、質問信号送信手段によってアクセス単位時間内に少なくとも１回の質問信号の送信が行われると共にアクセス単位時間毎に異なる通信プロトコルを用いて前記質問信号の送信が行われ、該質問信号に対してトランスポンダから応答信号が返されたときには応答信号受信手段によって該応答信号が受信される。さらに、周波数可変手段によって前記走査単位時間毎に所定の走査周波数範囲内で通信周波数が順次異なる周波数に変化させられて走査が行われる。これにより、前記走査周波数範囲内の通信周波数及び前記通信プロトコルを用いたトランスポンダに対するアクセスが行われる。
【００１１】
また、請求項３では、請求項１又は請求項２に記載のトランスポンダリーダーにおいて、前記質問信号に対する応答信号を受信したときの前記通信周波数を検出する周波数検出手段と、該周波数検出手段によって検出された通信周波数を表示する表示手段とを備えたトランスポンダリーダーを提案する。
【００１２】
該トランスポンダリーダーによれば、前記質問信号に対する応答信号を受信したときの通信周波数が周波数検出手段によって検出され、該検出された通信周波数は表示手段によって表示される。これにより、トランスポンダの通信周波数を認識できる。
【００１３】
また、請求項４では、請求項１又は請求項２に記載のトランスポンダリーダーにおいて、前記質問信号に対する応答信号を受信したときに用いた通信プロトコルの種類を検出するプロトコル検出手段と、該検出された通信プロトコルの種類を所定の識別子を用いて表示する表示手段とを備えたトランスポンダリーダーを提案する。
【００１４】
該トランスポンダリーダーによれば、前記質問信号に対する応答信号を受信したときに用いた通信プロトコルの種類がプロトコル検出手段によって検出され、該検出された通信プロトコルの種類が表示手段によって表示される。これにより、トランスポンダとの間の通信に用いる通信プロトコルの種類を認識できる。
【００１５】
【発明の実施の形態】
以下、図面に基づいて本発明の一実施形態を説明する。
【００１６】
図１は本発明に係る参考例のトランスポンダリーダーを示す構成図である。図において、１０はトランスポンダリーダーで、アンテナ１１、アンテナ切替器１２、局部発振部１３、受信部１４、送信部１５、中央処理部１６、操作部１７、及び表示部１８から構成されている。
【００１７】
アンテナ切替器１２は、中央処理部１６からの切替制御信号によってアンテナ１１を受信部１４又は送信部１５の何れか一方に接続する電子式の切替器である。また、局部発振部１３は、電圧制御型発振器（ＶＣＯ）からなる局部発振回路131、ローパスフィルタ132、位相比較器133、プリスケーラ134、基準発振器135、プリスケーラ136、及びプログラマブルデバイダ137から構成されている。
【００１８】
局部発振部１３はいわゆる周知のＰＬＬ方式周波数シンセサイザで、基準発振器135によって発信された高周波信号が、プリスケーラ134により分周された後、位相比較器133に入力され、局部発振回路131から出力される局部発振周波数をプリスケーラ136及びプログラマブルデバイダ137によって分周した周波数と位相比較される。位相比較器133は、上記位相比較の結果に基づいて位相差電圧を出力し、この位相差電圧によって局部発振回路131の発振周波数が決定される。
【００１９】
プログラマブルデバイダ137は、シンセサイザの周波数を設定する中心的役割を果たし、中央処理部１６からの制御信号によってその分周比が変化され、ここで設定された分周比によって局部発振回路131における局部発振周波数が決定される。
【００２０】
また、受信部１４は、高周波増幅回路141、混合回路142、中間周波増幅回路143、及び復調回路144から構成されている。高周波増幅回路141にはアンテナ切替器１２を介してアンテナに誘起したトランスポンダからの応答信号の高周波信号が入力され、この高周波信号が高周波増幅回路141によって増幅される。
【００２１】
高周波増幅回路141から出力された高周波信号は、混合回路142によって局部発振信号と混合されて中間周波数の信号に変換された後、中間周波増幅回路143によって増幅される。中間周波増幅回路143から出力された信号は復調回路144に入力され、復調回路144によってトランスポンダからの応答信号が復調されて中央処理部１６に向けて出力される。
【００２２】
送信部１５は、高周波増幅回路151、混合回路152、及び発振回路153から構成され、混合回路152は発振回路153によって発振された高周波信号と上記局部発振信号とを混合して、受信部１４における受信周波数に等しい高周波信号を生成して出力する。混合回路152から出力された高周波信号は、高周波増幅回路151によって増幅された後、アンテナ切替器１２を介してアンテナ１１に供給される。また、発振回路153の動作状態、即ち駆動又は駆動停止は中央処理部１６からの制御信号によって切り替えられるようになっている。これにより、発振回路153が駆動されているときに、上記局部発振周波数に基づく通信周波数を用いて、送信部１５からトランスポンダに対する質問信号（本参考例では単なる搬送波信号）がアンテナ１１から輻射される。
【００２３】
中央処理部１６は、周知のＣＰＵ161とＲＡＭやＲＯＭ等からなる記憶部162から構成されている。また、ＣＰＵ161は記憶部162に予め格納されているプログラムによって動作し、操作部１７を介して入力された走査開始命令に従って、予め設定されている走査周波数範囲、例えば下限周波数ｆLowから上限周波数ｆHighまでの範囲においてステップ周波数ｆstp間隔、例えば２０ＫＨｚ間隔で順次通信周波数を変えて質問信号の送信及び応答信号の受信を試みると共に、トランスポンダからの応答信号を受信したときには、このときの通信周波数と応答信号に含まれる情報を表示部１８に表示する。
【００２４】
操作部１７は、周知のテンキー及びスイッチ、ＣＰＵ161とのインタフェースなどから構成され、表示部１８は液晶ディスプレー、表示制御回路及びＣＰＵ161とのインタフェース等から構成されている。
【００２５】
次に、前述したトランスポンダリーダー１０を用いてアクセスするトランスポンダの一例を説明する。
【００２６】
図２はトランスポンダを示す構成図である。図において、２０はトランスポンダで、送受信用アンテナ２１、整流回路２２、中央処理部２３、記憶部２４、発信部２５、アンテナ切替器２６及び検波部２７から構成されている。
【００２７】
整流回路２２は、ダイオード221,222、コンデンサ223、及び抵抗器224から構成され、周知の全波整流回路を形成している。この整流回路２２の入力側にはアンテナ切替器２６を介して送受信用アンテナ２１が接続され、送受信用アンテナ２１に誘起した高周波電流を整流して直流電流に変換して、中央処理部２３、記憶部２４及び発信部２５の駆動電源として出力するものである。
【００２８】
中央処理部２３は、周知のＣＰＵ231及びディジタル／アナログ（以下、Ｄ／Ａと称する）変換器232から構成され、ＣＰＵ231は電源が供給されて駆動するとＥＥＰＲＯＭ等の半導体メモリからなる記憶部２４内に記憶されている情報を読み出して、この情報をＤ／Ａ変換器232を介して発信部２５に出力する。
【００２９】
発信部２５は、発振回路251、変調回路252及び高周波増幅回路253から構成され、発振回路251によって発振された搬送波を、中央処理部２３から入力した情報信号に基づいて、変調回路252で変調して、これを高周波増幅回路253及びアンテナ切替器２６を介して送受信用アンテナ２１に供給する。
【００３０】
アンテナ切替器２６は、例えば電子スイッチ等から構成され、整流回路２２或いは高周波増幅回路253の何れか一方を送受信用アンテナ２１と接続するためのものであり、ＣＰＵ231から出力される制御信号によって接続切替が行われる。
【００３１】
アンテナ切替器２６によって、ＣＰＵ231が非動作時は送受信アンテナ２１と整流回路２２とが接続され、ＣＰＵ231が動作時は送受信アンテナ２１と高周波増幅回路253とが接続される。
【００３２】
検波部２７はダイオード271とＡ／Ｄ変換器272からなり、ダイオード271のアノードは送受信用アンテナ２１に接続され、カソードはＡ／Ｄ変換器272を介して中央処理部２３のＣＰＵ231に接続されている。
【００３３】
次に、前述の構成よりなるトランスポンダリーダー１０の動作を図３及び図４を参照して説明する。
【００３４】
異なるシステムが混在し、各システム毎に異なる通信周波数のトランスポンダが用いられているとき、これらの異なるトランスポンダに対してもトランスポンダリーダー１０を用いて走査開始命令を入力するだけで、トランスポンダリーダー１０はこれらのトランスポンダの通信周波数を自動的に検出してトランスポンダ２０からの応答信号を受信し、通信周波数と共に受信情報を表示する。
【００３５】
即ち、トランスポンダリーダー１０の中央処理部１６は、操作部１７を介して走査開始命令が入力されたか否か、即ち操作部１７の走査開始スイッチがオンされたか否かを監視し（ＳＡ１）、走査開始スイッチがオンされたときに通信周波数ｆcomを走査周波数範囲の下限周波数ｆLowとして（ＳＡ２）、この通信周波数ｆcomをプログラマブルデバイダ137に設定する（ＳＡ３）。
【００３６】
次に、中央処理部１６は、アンテナ切替器１２を送信部１５に切り替えると共に送信部１５の発振器153を駆動して質問信号を１回送信（ＳＡ４）した後、アンテナ切替器１２を受信部１４側に切り替えて所定時間受信待機状態にしてトランスポンダ２０からの応答信号を受信可能にする（ＳＡ５）。ここで、質問信号の送信時間をＴtx、受信待機時間をＴrxとし、受信待機時間Ｔrx経過後に、中央処理部１６はトランスポンダ２０からの応答信号を受信したか否かを判定し（ＳＡ６）、応答信号を受信できないときは後述するＳＡ８の処理に移行し、受信できたときはこのときの通信周波数ｆcomと受信情報を表示部１８に表示する（ＳＡ７）。
【００３７】
この後、中央処理部１６は、操作部１７の通信周波数ロックスイッチがオンされたか否かを判定し（ＳＡ８）、オンされたときはロックフラグを「１」に設定し（ＳＡ９）、オンされないときはロックフラグを「０」に設定する（ＳＡ１０）。
【００３８】
次いで、中央処理部１６は、上記走査開始スイッチがオンされたか否かを判定し（ＳＡ１１）、オンされないときは前記ＳＡ１０の処理に移行し、オンされたときはロックフラグが「１」であるか否かを判定する（ＳＡ１２）。この判定の結果、ロックフラグが「０」のときは後述するＳＡ１４の処理に移行し、ロックフラグが「１」のときはこの時点の通信周波数ｆcomにステップ周波数ｆstpを加算した周波数を新たな通信周波数ｆcomとする（ＳＡ１３）。
【００３９】
次に、中央処理部１６は、この時点での通信周波数ｆcomが上記走査周波数範囲の上限周波数ｆHighより大きいか否かを判定する（ＳＡ１４）。この判定の結果、通信周波数ｆcomが上限周波数ｆHighより大きいときは前記ＳＡ１の処理に移行し、通信周波数ｆcomが上限周波数ｆHigh以下のときは操作部１７の走査停止スイッチがオンされたか否かを判定する（ＳＡ１５）。この判定の結果、走査停止スイッチがオンされないときは前記ＳＡ３の処理に移行し、オンされたときは処理を終了する。
【００４０】
上記の処理により、トランスポンダ２０からの応答信号が走査周波数範囲内で受信できないときは図４の（ａ）に示すように走査周波数範囲内で、アクセス単位時間（送信時間Ｔtx＋受信待機時間Ｔrx）毎に順次通信周波数ｆcomが変化されて質問信号の送信が行われる。また、走査中にトランスポンダ２０からの応答信号を受信したときは、図４の（ｂ）に示すように再び走査開始スイッチがオンされるまで走査が一時停止される。さらにまた、走査中にトランスポンダ２０からの応答信号を受信した後に通信周波数ロックスイッチがオンされたときは、図４の（ｃ）に示すように再び走査開始スイッチがオンされた後も通信周波数ｆcomは通信周波数ロックスイッチがオンされた時点の通信周波数とされる。
【００４１】
前述したように参考例によれば、走査周波数範囲内で通信周波数ｆcomをアクセス単位時間毎に順次異なる周波数に変化して走査し、走査周波数範囲内の通信周波数を用いたトランスポンダ２０に対するアクセスが行われるので、混在する異なるシステム毎に異なる通信周波数ｆcomのトランスポンダ２０を用いていても、システム毎に異なるトランスポンダリーダーを備える必要がなく、複数のシステムを扱う場合にトランスポンダリーダーの管理及び操作を非常に簡単に行うことができる。さらに、トランスポンダ２０の通信周波数ｆcomを忘れるなどしても簡単にアクセスすることができる。
【００４２】
また、質問信号に対する応答信号を受信したときの通信周波数が検出されて表示部１８に表示されるので、トランスポンダ２０との間の通信に用いる通信周波数ｆcomを容易に認識することができる。
【００４３】
次に、本発明の一実施形態を説明する。
【００４４】
図５は一実施形態のトランスポンダリーダーを示す構成図である。図において、前述した参考例と同一構成部分は同一符号をもって表しその説明を省略する。また、参考例と本実施形態の相違点は、送信部１５に変調回路154を設け、搬送波に変調をかけて所定の情報等を含む質問信号を送信できるようにすると共に、トランスポンダとの間の通信に用いる複数種の通信プロトコル、例えば５種類の通信プロトコルを中央処理部１６の記憶部162に記憶しておき、これら５種類の通信プロトコルを用いて通信を行えるようにした。ここで前記通信プロトコルとは、トランスポンダリーダーとトランスポンダとの間でデータ通信を行うために定められた規約のことであり、質問信号及び応答信号の情報フォーマット、交信手順、誤り検出法、変調方法などを含むものである。
【００４５】
送信部１５において、変調回路154は混合回路152と高周波増幅回路151との間に設けられ、混合回路152から出力される搬送波を中央処理部１６からの信号に基づいて変調した後に高周波増幅回路151に出力する。
【００４６】
次に、前述の構成よりなるトランスポンダリーダー１０の動作に関する第１及び第２実施例を順に説明する。
【００４７】
第１実施例では、前記走査周波数範囲（下限周波数ｆLowから上限周波数ｆHighまでの範囲）を１回走査した後、通信プロトコル（Ｎｏ．１〜Ｎｏ．５）を順次変えて同様に走査を行っている。これにより、異なるシステムが混在し、各システム毎に異なる通信周波数及び異なる通信プロトコルのトランスポンダが用いられているとき、これらの異なるトランスポンダに対してもトランスポンダリーダー１０を用いて走査開始命令を入力するだけで、トランスポンダリーダー１０はこれらのトランスポンダの通信周波数と通信プロトコルを自動的に検出してトランスポンダ２０からの応答信号を受信し、通信周波数及び通信プロトコルの種類と共に受信情報を表示する。
【００４８】
即ち、第１実施例では図６の処理フローチャートに示すように、トランスポンダリーダー１０の中央処理部１６は、通信プロトコル種別（ＰＲNo）を「１」に設定して「Ｎｏ．１」の通信プロトコルを用いて通信（走査）を行えるようにする（ＳＢ１）と共に、操作部１７を介して走査開始命令が入力されたか否か、即ち操作部１７の走査開始スイッチがオンされたか否かを監視し（ＳＢ２）、走査開始スイッチがオンされたときに、通信周波数ｆcomを走査周波数範囲の下限周波数ｆLowとして（ＳＢ３）、この通信周波数ｆcomをプログラマブルデバイダ137に設定する（ＳＢ４）。
【００４９】
次に、中央処理部１６は、アンテナ切替器１２を送信部１５に切り替えると共に送信部１５の発振器153を駆動し、「Ｎｏ．１」の通信プロトコルを用いて質問信号を１回送信（ＳＢ５）した後、アンテナ切替器１２を受信部１４側に切り替えて所定時間受信待機状態にしてトランスポンダ２０からの応答信号を受信可能にする（ＳＢ６）。ここで、質問信号の送信時間をＴtx、受信待機時間をＴrxとし、受信待機時間Ｔrx経過後に、中央処理部１６はトランスポンダ２０からの応答信号を受信したか否かを判定し（ＳＢ７）、応答信号を受信できないときは後述するＳＢ９の処理に移行し、受信できたときはこのときの通信周波数ｆcom及び通信プロトコル種別（ＰＲNo）並びに受信情報を表示部１８に表示する（ＳＢ８）。
【００５０】
この後、中央処理部１６は、操作部１７の通信周波数ロックスイッチがオンされたか否かを判定し（ＳＢ９）、オンされたときはロックフラグを「１」に設定し（ＳＢ１０）、オンされないときはロックフラグを「０」に設定する（ＳＢ１１）。
【００５１】
次いで、中央処理部１６は、上記走査開始スイッチがオンされたか否かを判定し（ＳＢ１２）、オンされないときは前記ＳＢ９の処理に移行し、オンされたときはロックフラグが「１」であるか否かを判定する（ＳＢ１３）。この判定の結果、ロックフラグが「０」のときは後述するＳＢ１５の処理に移行し、ロックフラグが「１」のときはこの時点の通信周波数ｆcomにステップ周波数ｆstpを加算した周波数を新たな通信周波数ｆcomとする（ＳＢ１４）。
【００５２】
次に、中央処理部１６は、この時点での通信周波数ｆcomが上記走査周波数範囲の上限周波数ｆHighより大きいか否かを判定する（ＳＢ１５）。この判定の結果、通信周波数ｆcomが上限周波数ｆHighより大きいときは通信プロトコル種別（ＰＲNo）が「５」であるか否かを判定し（ＳＢ１６）、通信プロトコル種別（ＰＲNo）が「５」であるときは通信プロトコル種別（ＰＲNo）を「１」に設定して「Ｎｏ．１」の通信プロトコルを用いて通信（走査）を行えるようにし（ＳＢ１７）、通信プロトコル種別（ＰＲNo）が「５」以外のときは「ＰＲNo」に「１」を加算して（ＳＢ１８）、前記ＳＢ２の処理に移行する。
【００５３】
また、通信周波数ｆcomが上限周波数ｆHigh以下のときは、中央処理部１６は操作部１７の走査停止スイッチがオンされたか否かを判定する（ＳＢ１９）。この判定の結果、走査停止スイッチがオンされないときは前記ＳＢ４の処理に移行し、オンされたときは処理を終了する。
【００５４】
上記の処理により、トランスポンダ２０からの応答信号が走査周波数範囲内で受信できないときは図７に示すように走査周波数範囲内で、アクセス単位時間（送信時間Ｔtx＋受信待機時間Ｔrx）毎に順次通信周波数ｆcomが変化されて質問信号の送信が行われる。また、走査周波数範囲内の１回の捜査が終了すると、通信プロトコル種別（ＰＲNo）を「１」〜「５」に順次変えて同様の走査周波数範囲内の走査を行う。
【００５５】
また、走査中にトランスポンダ２０からの応答信号を受信したときは、参考例と同様に再び走査開始スイッチがオンされるまで走査が一時停止される。
【００５６】
さらにまた、走査中にトランスポンダ２０からの応答信号を受信した後に通信周波数ロックスイッチがオンされたときは、参考例と同様に再び走査開始スイッチがオンされた後も通信周波数ｆcomは通信周波数ロックスイッチがオンされた時点の通信周波数とされると共に、通信プロトコル種別もこの時点の通信プロトコルが維持される。
【００５７】
従って、本実施形態の第１実施例によれば、走査周波数範囲内で通信周波数ｆcomをアクセス単位時間毎に順次異なる周波数に変化して走査し、走査周波数範囲内の通信周波数及び「Ｎｏ．１」〜「Ｎｏ．５」の種別の通信プロトコルを用いたトランスポンダ２０に対するアクセスが行われるので、混在する異なるシステム毎に異なる通信周波数ｆcom或いは異なる通信プロトコルのトランスポンダ２０を用いていても、システム毎に異なるトランスポンダリーダーを備える必要がなく、複数のシステムを扱う場合にトランスポンダリーダーの管理及び操作を非常に簡単に行うことができる。
【００５８】
さらに、トランスポンダ２０の通信周波数ｆcom或いは通信プロトコル種別ＰＲNoを忘れるなどしても簡単にアクセスすることができる。
【００５９】
また、質問信号に対する応答信号を受信したときの通信周波数及び通信プロトコル種別が検出されて表示部１８に表示されるので、トランスポンダ２０との間の通信に用いる通信周波数ｆcom及び通信プロトコル種別ＰＲNoを容易に認識することができる。
【００６０】
次に、本実施形態における第２実施例を説明する。
【００６１】
第２実施例では、上記の通信プロトコル種別（Ｎｏ．１〜Ｎｏ．５）を順次変えながら前記走査周波数範囲（下限周波数ｆLowから上限周波数ｆHighまでの範囲）の走査を行っている。これにより、異なるシステムが混在し、各システム毎に異なる通信周波数及び異なる通信プロトコルのトランスポンダが用いられているとき、これらの異なるトランスポンダに対してもトランスポンダリーダー１０を用いて走査開始命令を入力するだけで、トランスポンダリーダー１０はこれらのトランスポンダの通信周波数と通信プロトコルを自動的に検出してトランスポンダ２０からの応答信号を受信し、通信周波数及び通信プロトコルの種類と共に受信情報を表示する。
【００６２】
即ち、第２実施例では図８の処理フローチャートに示すように、トランスポンダリーダー１０の中央処理部１６は、通信プロトコル種別（ＰＲNo）を「１」に設定して「Ｎｏ．１」の通信プロトコルを用いて通信（走査）を行えるようにする（ＳＣ１）と共に、操作部１７を介して走査開始命令が入力されたか否か、即ち操作部１７の走査開始スイッチがオンされたか否かを監視し（ＳＣ２）、走査開始スイッチがオンされたときに、通信周波数ｆcomを走査周波数範囲の下限周波数ｆLowとして（ＳＣ３）、この通信周波数ｆcomをプログラマブルデバイダ137に設定する（ＳＣ４）。
【００６３】
次に、中央処理部１６は、アンテナ切替器１２を送信部１５に切り替えると共に送信部１５の発振器153を駆動し、「Ｎｏ．１」の通信プロトコルを用いて質問信号を１回送信（ＳＣ５）した後、アンテナ切替器１２を受信部１４側に切り替えて所定時間受信待機状態にしてトランスポンダ２０からの応答信号を受信可能にする（ＳＣ６）。ここで、質問信号の送信時間をＴtx、受信待機時間をＴrxとし、受信待機時間Ｔrx経過後に、中央処理部１６はトランスポンダ２０からの応答信号を受信したか否かを判定し（ＳＣ７）、応答信号を受信できないときは後述するＳＣ９の処理に移行し、受信できたときはこのときの通信周波数ｆcom及び通信プロトコル種別（ＰＲNo）並びに受信情報を表示部１８に表示する（ＳＣ８）。
【００６４】
この後、中央処理部１６は、操作部１７の通信周波数ロックスイッチがオンされたか否かを判定し（ＳＣ９）、オンされたときはロックフラグを「１」に設定し（ＳＣ１０）、オンされないときはロックフラグを「０」に設定する（ＳＣ１１）。
【００６５】
次いで、中央処理部１６は、上記走査開始スイッチがオンされたか否かを判定し（ＳＣ１２）、オンされないときは前記ＳＣ９の処理に移行し、オンされたときはロックフラグが「１」であるか否かを判定する（ＳＣ１３）。この判定の結果、ロックフラグが「１」のときは後述するＳＣ１９の処理に移行し、ロックフラグが「０」のときは通信プロトコル種別（ＰＲNo）が「５」であるか否かを判定し（ＳＣ１４）、通信プロトコル種別（ＰＲNo）が「５」以外のときは「ＰＲNo」に「１」を加算して（ＳＣ１５）後述するＳＣ１８の処理に移行し、通信プロトコル種別（ＰＲNo）が「５」のときは通信プロトコル種別（ＰＲNo）を「１」に設定して「Ｎｏ．１」の通信プロトコルを用いて通信（走査）を行えるようにする（ＳＣ１６）と共に、この時点の通信周波数ｆcomにステップ周波数ｆstpを加算した周波数を新たな通信周波数ｆcomとする（ＳＣ１７）。
【００６６】
次に、中央処理部１６は、この時点での通信周波数ｆcomが上記走査周波数範囲の上限周波数ｆHighよりも大きいか否かを判定する（ＳＣ１８）。この判定の結果、通信周波数ｆcomが上限周波数ｆHighより大きいときは前記ＳＣ２の処理に移行し、通信周波数ｆcomが上限周波数ｆHigh以下のときは、中央処理部１６は操作部１７の走査停止スイッチがオンされたか否かを判定する（ＳＣ１９）。この判定の結果、走査停止スイッチがオンされないときは前記ＳＣ４の処理に移行し、オンされたときは処理を終了する。
【００６７】
上記の処理により、トランスポンダ２０からの応答信号が走査周波数範囲内で受信できないときは図９に示すように走査周波数範囲内で、アクセス単位時間（送信時間Ｔtx＋受信待機時間Ｔrx）毎に順次通信周波数ｆcom及び通信プロトコル種別（ＰＲNo）が変化されて質問信号の送信が行われる。
【００６８】
また、走査中にトランスポンダ２０からの応答信号を受信したときは、参考例と同様に再び走査開始スイッチがオンされるまで走査が一時停止される。
【００６９】
さらにまた、走査中にトランスポンダ２０からの応答信号を受信した後に通信周波数ロックスイッチがオンされたときは、参考例と同様に再び走査開始スイッチがオンされた後も通信周波数ｆcomは通信周波数ロックスイッチがオンされた時点の通信周波数とされると共に、通信プロトコル種別もこの時点の通信プロトコルが維持される。
【００７０】
従って、前述した本実施形態の第２実施例によっても、走査周波数範囲内で通信周波数ｆcomをアクセス単位時間毎に順次異なる周波数に変化して走査し、走査周波数範囲内の通信周波数及び「Ｎｏ．１」〜「Ｎｏ．５」の種別の通信プロトコルを用いたトランスポンダ２０に対するアクセスが行われるので、混在する異なるシステム毎に異なる通信周波数ｆcom或いは異なる通信プロトコルのトランスポンダ２０を用いていても、システム毎に異なるトランスポンダリーダーを備える必要がなく、複数のシステムを扱う場合にトランスポンダリーダーの管理及び操作を非常に簡単に行うことができる。
【００７１】
さらに、トランスポンダ２０の通信周波数ｆcom或いは通信プロトコル種別ＰＲNoを忘れるなどしても簡単にアクセスすることができる。
【００７２】
また、質問信号に対する応答信号を受信したときの通信周波数及び通信プロトコル種別が検出されて表示部１８に表示されるので、トランスポンダ２０との間の通信に用いる通信周波数ｆcom及び通信プロトコル種別ＰＲNoを容易に認識することができる。
【００７３】
尚、前述した実施形態の構成は一例であり本願発明がこれらに限定されることはない。例えば、質問及び応答信号の変調形式を複数種変えて走査する構成としても良い。また、上記実施形態では１回の質問信号の送信と応答信号の受信に要する時間をアクセス単位時間としたが、複数回の質問信号の送信と応答信号の受信に要する時間をアクセス単位時間としても良い。
【００７４】
【発明の効果】
以上説明したように本発明の請求項１によれば、走査周波数範囲内で通信周波数をアクセス単位時間毎に順次異なる周波数に変化して走査し、前記走査周波数範囲内の通信周波数を用いたトランスポンダに対するアクセスが行われるので、混在する異なるシステム毎に異なる通信周波数のトランスポンダを用いていても、システム毎に異なるトランスポンダリーダーを備える必要がなく、複数のシステムを扱う場合にトランスポンダリーダーの管理及び操作を非常に簡単に行うことができる。さらに、トランスポンダの通信周波数を忘れるなどしても簡単にアクセスすることができる。
【００７５】
また、異なる２つ以上の通信プロトコルを用いてトランスポンダに対するアクセスを行うので、前記システムによって異なる通信プロトコルを用いていても、システム毎に通信プロトコルの異なるトランスポンダリーダーを備える必要がなく、複数のシステムを扱う場合にトランスポンダリーダーの管理及び操作を非常に簡単に行うことができる。
【００７６】
また、請求項２によれば、走査単位時間内に２つ以上の通信プロトコルを用いてトランスポンダに対する質問信号の送信を行うと共に走査周波数範囲内で通信周波数を走査単位時間毎に順次異なる周波数に変化して走査し、前記走査周波数範囲内の通信周波数を用いたトランスポンダに対するアクセスが行われるので、混在する異なるシステム毎に異なる通信周波数或いは異なる通信プロトコルのトランスポンダを用いていても、システム毎に異なるトランスポンダリーダーを備える必要がなく、複数のシステムを扱う場合にトランスポンダリーダーの管理及び操作を非常に簡単に行うことができる。さらに、トランスポンダの通信周波数又は通信プロトコルを忘れるなどしても簡単にアクセスすることができる。
【００７７】
また、請求項３によれば、上記の効果に加えて、質問信号に対する応答信号を受信したときの通信周波数が周波数検出手段によって検出され、該検出された通信周波数が表示手段によって表示されるので、トランスポンダとの間の通信に用いる通信周波数を容易に認識することができる。
【００７８】
また、請求項４によれば、上記の効果に加えて、質問信号に対する応答信号を受信したときに用いた通信プロトコルの種類がプロトコル検出手段によって検出され、該検出された通信プロトコルの種類が表示手段によって表示されるので、トランスポンダとの間の通信に用いる通信プロトコルの種類を容易に認識することができる。
【図面の簡単な説明】
【図１】  本発明に係る参考例におけるトランスポンダリーダーを示す構成図
【図２】  本発明に係る参考例におけるトランスポンダの一例を示す構成図
【図３】  本発明に係る参考例における処理動作を説明するフローチャート図
【図４】  本発明に係る参考例における処理動作を説明するタイミング図
【図５】  本発明の一実施形態におけるトランスポンダリーダーを示す構成図
【図６】  本発明の一実施形態における第１実施例の処理動作を説明するフローチャート図
【図７】  本発明の一実施形態における第１実施例の処理動作を説明するタイミング図
【図８】  本発明の一実施形態における第２実施例の処理動作を説明するフローチャート図
【図９】  本発明の一実施形態における第２実施例の処理動作を説明するタイミング図
【符号の説明】
１０…トランスポンダリーダー、１１…アンテナ、１２…アンテナ切替器、１３…局部発振部、131…局部発振回路、132…ローパスフィルタ、133…位相比較器、134…プリスケーラ、135…基準発振器、136…プリスケーラ、137…プログラマブルデバイダ、１４…受信部、141…高周波増幅回路、142…混合回路、143…中間周波増幅回路、144…復調回路、１５…送信部、151…高周波増幅回路、152…混合回路、153…発振回路、154…変調回路、１６…中央処理部、161…ＣＰＵ、162…記憶部、１７…操作部、１８…表示部、２０…トランスポンダ、２１…送受信用アンテナ、２２…整流回路、２３…中央処理部、２４…記憶部、２５…発信部、２６…アンテナ切替器、２７…検波部。
【図１】
0003913899.tif 000002
【図２】
0003913899.tif 000003
【図３】
0003913899.tif 000004
【図４】
0003913899.tif 000005
【図５】
0003913899.tif 000006
【図６】
0003913899.tif 000007
【図７】
0003913899.tif 000008
【図８】
0003913899.tif 000009
【図９】
0003913899.tif 000010